(57)【要約】【課題】信号光と参照光とを同軸で照射してホログラムを記録することができ、体積ホログラムでの高密度記録を可能とするホログラム記録方法及び装置を提供する。また、光量損失の少ないホログラム記録方法及び装置を提供する。【解決手段】光記録媒体にフーリエ変換された信号光と第１の参照光とを同じ側から同軸で照射することで、信号光の情報を透過型ホログラムとして記録する。また、光記録媒体を透過した第１の参照光を変調して第２の参照光を生成し、光記録媒体にフーリエ変換された信号光と第２の参照光とを異なる側から同軸で照射することで、信号光及び第１の参照光のデフォーカス位置に、更に信号光の情報を反射型ホログラムとして記録する。【選択図】図１
2007178458.tif 000002
【特許請求の範囲】
【請求項１】
光記録媒体にフーリエ変換された信号光と第１の参照光とを同じ側から同軸で照射し、前記信号光の情報を前記光記録媒体に透過型ホログラムとして記録すると共に、
前記光記録媒体を透過した第１の参照光を変調して第２の参照光を生成し、前記光記録媒体にフーリエ変換された前記信号光と前記第２の参照光とを異なる側から同軸で照射し、前記前記信号光の情報を前記光記録媒体に反射型ホログラムとして記録する、
ホログラム記録方法。
【請求項２】
前記信号光及び前記第１の参照光と前記第２の参照光とを、前記光記録媒体の同一表面に集光する請求項１に記載のホログラム記録方法。
【請求項３】
前記信号光及び前記第１の参照光を前記光記録媒体の一方の表面に集光すると共に、前記第２の参照光を前記光記録媒体の他方の表面に集光する請求項１に記載のホログラム記録方法。
【請求項４】
フーリエ変換された信号光及び第１の参照光から直流成分を除去して、直流成分が除去された信号光と第１の参照光とを前記光記録媒体に照射する請求項１乃至３のいずれか１項に記載のホログラム記録方法。
【請求項５】
前記光記録媒体を透過した第１の参照光を前記光記録媒体側に反射して、前記第１の参照光を変調する請求項１乃至４のいずれか１項に記載のホログラム記録方法。
【請求項６】
レーザ光を照射する光源と、
前記光源から照射されたレーザ光を空間的に変調して信号光と参照光とを生成する空間光変調器と、
前記空間光変調器で生成された信号光及び参照光をフーリエ変換して光記録媒体に照射する第１のレンズと、
前記光記録媒体を透過した信号光及び参照光を逆フーリエ変換する第２のレンズと、
前記光記録媒体を透過し且つ第２のレンズで逆フーリエ変換された参照光を前記光記録媒体側に反射する反射ミラーと、
を備えたホログラム記録装置。
【発明の詳細な説明】
【技術分野】
【０００１】
本発明は、ホログラム記録方法及び装置に係り、特に、信号光と参照光とを同軸で照射してホログラムを記録するホログラム記録方法及び装置に関する。
【背景技術】
【０００２】
信号光と参照光とを記録媒体の同一面側から同軸で照射し、透過型ホログラムを作製する方法が提案されている（特許文献１）。この方法では、空間光変調器の空間的に異なる位置から生成された信号光と参照光とをレンズによりフーリエ変換している。フーリエ変換された信号光と参照光は、フーリエ変換面付近で重なるため、この位置に記録媒体を置くことで、ホログラムを記録することができる。また、この方法では、信号光と参照光とを同軸で照射するので、光学系が簡単になり、記録装置のコンパクト化を図ることができる。
【０００３】
しかしながら、フーリエ変換面から光軸方向に離れていくに従って、信号光と参照光とが重なる領域は小さくなっていく。したがって、透過型ホログラムの同軸記録では、記録材料の膜厚が大きくなると、記録材料の光軸方向（厚さ方向）全体にホログラムを記録できなくなるという重大な問題がある。
【０００４】
一般に、記録密度を向上させるためには、（１）記録媒体の膜厚を大きくする、（２）フーリエ変換レンズの焦点距離を短くする、という２つの方法がある。
【０００５】
即ち、記録媒体の厚み方向を利用して、干渉縞を３次元的に記録する体積ホログラムでは、材料の厚みが大きいほど、ブラッグ（Bragg）条件が厳しくなると共に、ダイナミックレンジを大きくすることができる。また、ブラッグ条件が厳しく、ダイナミックレンジが大きいほど、多くのホログラムを多重記録できる。従って、材料の厚みが大きいほど、多くのホログラムを多重記録できる。また、記録密度を大きくするためには、記録領域を小さくする必要がある。記録領域を小さくするためには、フーリエ変換レンズの焦点距離を短くすることが望ましい。
【０００６】
しかしながら、記録媒体の厚膜化とフーリエ変換レンズの短焦点化とを両立することは困難である。なぜなら、記録媒体の厚みが大きくなると、フーリエ変換面から光軸方向に離れた位置に記録材料が存在することになり、フーリエ変換レンズの焦点距離が短いほど、フーリエ変換面から光軸方向に少し離れた位置でさえ、信号光と参照光とが重なる領域は小さくなるからである。そのため、その位置では、ホログラムの記録が困難になる。
【０００７】
このように高記録密度を実現するには、厚い記録材料と短焦点距離のフーリエ変換レンズとが必要であるが、透過型ホログラムの同軸記録では、光記録媒体の厚膜化とフーリエ変換レンズの短焦点化とを両立することは困難であるため、高密度記録を実現することは難しい。
【０００８】
この問題を解決するために、同軸記録系において、空間光変調器の参照光用領域にランダムパターンを表示して、スペックル状の参照光を生成する記録方法が提案されている（特許文献２）。この記録方法では、スペックル状の参照光を生成することで参照光を拡散させ、信号光と参照光とが重なる領域（フーリエ面からのデフォーカス量）を大きくすることができる。また、空間光変調器に位相マスクを近接して配置して参照光を拡散させる技術（特許文献３）や、拡散板を用いて参照光を発生させる技術（特許文献４）が提案されている。
【特許文献１】特許３４５２１１３号公報
【特許文献２】特開２００５−２４１６７４号公報
【特許文献３】特開２００５−２４１７７３号公報
【特許文献４】米国特許第６１０８１１０号明細書
【発明の開示】
【発明が解決しようとする課題】
【０００９】
しかしながら、特許文献２乃至４に記載された記録方法では、デフォーカス位置での信号光と参照光との重なりは十分ではなく、光記録媒体の膜厚が大きくなるに従い膜厚方向全体にホログラムを記録することが困難になる。また、参照光が拡散されるため、記録に関与しない光量が大きく、光量損失が大きいという問題がある。
【００１０】
本発明は、上記問題を解決すべく成されたものであり、本発明の目的は、信号光と参照光とを同軸で照射してホログラムを記録することができ、体積ホログラムでの高密度記録を可能とするホログラム記録方法及び装置を提供することにある。また、本発明の他の目的は、光量損失の少ないホログラム記録方法及び装置を提供することにある。
【課題を解決するための手段】
【００１１】
上記目的を達成するために本発明のホログラム記録方法は、光記録媒体にフーリエ変換された信号光と第１の参照光とを同じ側から同軸で照射し、前記信号光の情報を前記光記録媒体に透過型ホログラムとして記録すると共に、前記光記録媒体を透過した第１の参照光を変調して第２の参照光を生成し、前記光記録媒体にフーリエ変換された前記信号光と前記第２の参照光とを異なる側から同軸で照射し、前記前記信号光の情報を前記光記録媒体に反射型ホログラムとして記録することを特徴としている。
【００１２】
本発明のホログラム記録方法によれば、光記録媒体にフーリエ変換された信号光と第１の参照光とを同じ側から同軸で照射することで、信号光の情報を透過型ホログラムとして記録することができる。また、光記録媒体を透過した第１の参照光を変調して第２の参照光を生成し、光記録媒体にフーリエ変換された信号光と第２の参照光とを異なる側から同軸で照射することで、信号光及び第１の参照光が前記光記録媒体内で十分に重ならない位置に、更に信号光の情報を反射型ホログラムとして記録することができる。
【００１３】
このように、１つの光記録媒体の異なる位置に透過型ホログラムと反射型ホログラムとを記録することができるので、光記録材料の光軸方向（厚さ方向）全体にホログラムを記録することができる。この結果、光記録媒体の厚膜化とフーリエ変換レンズの短焦点化とを両立することができ、高密度記録を実現することができる。
【００１４】
また、光記録媒体を透過した第１の参照光を変調して第２の参照光を生成するので、光量損失が少ないという利点もある。
【発明の効果】
【００１５】
以上説明したように本発明によれば、信号光と参照光とを同軸で照射してホログラムを記録することができ、体積ホログラムでの高密度記録が可能になる、という効果がある。
また、光量損失が低減される、という効果がある。
【発明を実施するための最良の形態】
【００１６】
以下、図面を参照して本発明の実施の形態を詳細に説明する。
【００１７】
（第１の実施の形態）
図１は、第１の実施の形態に係るホログラム記録再生装置の概略構成を示す図である。図示した通り、この記録再生装置では信号光と参照光とを同軸で光記録媒体に照射することができる。
【００１８】
このホログラム記録再生装置には、コヒーレント光であるレーザ光を発振する光源１０が設けられている。光源１０のレーザ光照射側には、一対のレンズからなるビームエキスパンダ１２が配置されている。ビームエキスパンダ１２の光透過側には、透過型の空間光変調器１４が配置されている。
【００１９】
空間光変調器１４は、パターン発生器３２を介してパーソナルコンピュータ３０に接続されている。パターン発生器３２は、パーソナルコンピュータ３０から供給されたデジタルデータに応じて空間光変調器１４に表示するパターンを生成し、空間光変調器１４は、表示パターンに応じて入射されたレーザ光を変調し、ページ毎のデジタル画像（信号光）と参照光とを生成する。
【００２０】
空間光変調器１４の光透過側には、参照光の光路長を大きくするガラス板１６と、信号光と参照光とを光記録媒体２０に照射するフーリエ変換レンズ１８とが、光路に沿ってこの順に配置されている。ガラス板１６は参照光が伝搬する領域にのみ設置されている。即ち、ガラス板の中央部に信号光が通過する開口部１６ａが設けられ、参照光のみがガラス板を通過する。また、光記録媒体２０の信号光透過側には、フーリエ変換レンズ２２が配置されている。光記録媒体２０を透過し且つフーリエ変換レンズ２２で逆フーリエ変換された参照光の光路上には、該参照光を光記録媒体２０側に反射する平面ミラー２６が設けられている。
【００２１】
ホログラム再生時、光記録媒体２０に参照光が照射されると、照射された参照光はホログラムによって回折され、回折光はフーリエ変換レンズ２２の方向に出射し、フーリエ変換レンズ２２で逆フーリエ変換される。光記録媒体２０の回折光出射側には、ＣＣＤやＣＭＯＳアレイ等の撮像素子で構成され、受光した再生光（回折光）を電気信号に変換して出力する光検出器（カメラ）２４が配置されている。光検出器２４は、パーソナルコンピュータ３０に接続されている。
【００２２】
なお、ガラス板１６を設ける目的は、参照光の光路長を大きくし、参照光パターンの結像面の位置を光検出器２４の前側（光記録媒体２０の側）にすることにある。そうすることで、参照光パターンを反射する平面ミラー２６の面積を小さくでき、さらに、光検出器２４と平面ミラー２６とを並置させる物理的な困難さを解消できる。しかしながら、ガラス板１６は本発明の利点を満たす上で必須の要素ではなく、省略することができる。
【００２３】
次に、パーソナルコンピュータ３０によって実行される記録再生処理の処理ルーチンについて説明する。図２は記録再生処理の処理ルーチンを示すフローチャートである。まず、ユーザは入力装置（図示せず）を操作して、記録処理か再生処理かを選択する。デジタルデータをホログラムとして記録する場合には、記録するデジタルデータを予めパーソナルコンピュータに入力しておく。  
【００２４】
ステップ１００で、記録処理が選択されたか、再生処理が選択されたかを判断し、記録処理が選択された場合には、ステップ１０２で、光源１０からレーザ光を照射すると共にパーソナルコンピュータ３０からデジタルデータを所定のタイミングで出力し、ホログラムの記録処理を実行して、ルーチンを終了する。
【００２５】
ここで、ホログラムの記録処理について説明する。
光源１０から発振されたレーザ光は、ビームエキスパンダ１２により大径のビームにコリメートされて、空間光変調器１４に照射される。パーソナルコンピュータ３０からデジタルデータが入力されると、パターン発生器３２において、供給されたデジタルデータに応じて信号光パターン（ページデータ）が生成され、参照光パターンと合成されて、空間光変調器１４に表示されるパターンが生成される。空間光変調器１４では、表示されたパターンに応じてレーザ光が振幅変調され、信号光Ｓと参照光Ｒ１とが生成される。
【００２６】
例えば、図３に示すように、空間光変調器１４の中央部分をデータ表示用（信号光用）に使用すると共に、空間光変調器１４の周辺部分を参照光用に使用する。空間光変調器１４の中央部分に入射したレーザ光は、表示パターンに応じて偏光変調され、信号光Ｓが生成される。一方、空間光変調器１４の周辺部分に入射したレーザ光は、表示パターンに応じて振幅変調され、参照光Ｒ１が生成される。
【００２７】
空間光変調器１４で振幅変調された信号光Ｓ及び参照光Ｒ１は、レンズ１８によりフーリエ変換される。その前に、参照光のみは、ガラス板１６を透過することで、光路長が大きくなる。フーリエ変換された信号光Ｓと参照光Ｒ１とは、光記録媒体２０に同時に且つ同軸で照射される。これによって、光記録媒体２０中で信号光Ｓと参照光Ｒ１とが干渉して、干渉パターンがホログラムとして記録される。
【００２８】
本実施の形態では、フーリエ変換レンズ１８は、信号光Ｓ及び参照光Ｒ１が光記録媒体２０の出射側端面２０ｂに焦点を結ぶように配置されている。フーリエ変換された信号光Ｓと参照光Ｒ１とは出射側端面２０ｂ（フーリエ変換面）の近傍で重なり合い、出射側端面２０ｂに透過型ホログラムが記録される。
【００２９】
光記録媒体２０を透過した参照光Ｒ１は、レンズ２２で逆フーリエ変換され、平面ミラー２６に照射されて、光記録媒体２０の方向に参照光Ｒ２として反射される。反射された参照光Ｒ２は、レンズ２２によりフーリエ変換される。フーリエ変換された参照光Ｒ２と信号光Ｓとは、互いに異なる側から光記録媒体２０に同時に且つ同軸で照射される。これによって、光記録媒体２０中で信号光Ｓと参照光Ｒ２とが干渉して、干渉パターンがホログラムとして記録される。
【００３０】
本実施の形態では、参照光Ｒ２が光軸に対して傾きを持つように、平面ミラー２６で参照光Ｒ１を反射する。そのため、参照光Ｒ２がフーリエ変換レンズ２２を透過すると、光記録媒体２０の出射側面２０ｂの面内で、参照光Ｒ１の集光点とは異なる位置に集光される。その後、参照光Ｒ２は入射側端面２０ａの方向に伝播するにつれて波面が広がる。その広がりは光軸に対して傾きをもつ。従って、信号光Ｓと参照光Ｒ１とが十分に重ならない入射側端面２０ａの近傍で、信号光Ｓと参照光Ｒ２とは重なり、光記録媒体２０内に反射型ホログラムが記録される。即ち、透過型ホログラムとは異なる位置に、反射型ホログラムが記録される。
【００３１】
図２のステップ１００で、再生処理が選択された場合には、ステップ１０４で、光源１０からレーザ光を照射し、再生画像の取得処理を実行して、ルーチンを終了する。
【００３２】
ここで、再生画像の取得処理について説明する。
図４に示すように、空間光変調器１４の中央部分に遮光パターン（全部、黒画素）を表示し、空間光変調器１４の周辺部分には記録時と同じ参照光パターンを表示する。これにより、空間光変調器１４の周辺部分に入射したレーザ光だけが振幅変調されて参照光が生成され、光記録媒体２０のホログラムが記録された領域に参照光だけが照射される。
【００３３】
照射された参照光は、ホログラムによって回折され、回折光は光記録媒体２０から射出される。射出された回折光は、レンズ２２により逆フーリエ変換され、光検出器２４に入射される。レンズ２２の焦点面では再生像を観察することができる。
【００３４】
本実施の形態では、空間光変調器１４で生成された参照光Ｒ１は、ガラス板１６を透過し、レンズ１８によりフーリエ変換される。フーリエ変換された参照光Ｒ１は、光記録媒体２０に照射される。これによって、出射側端面２０ｂの近傍に記録された透過型ホログラムから、信号光Ｓのフーリエ変換像が再生される。
【００３５】
また、光記録媒体２０を透過した参照光Ｒ１は、レンズ２２で逆フーリエ変換され、ミラー２６に照射されて、光記録媒体２０の方向に参照光Ｒ２として反射される。反射された参照光Ｒ２は、レンズ２２によりフーリエ変換される。フーリエ変換された参照光Ｒ２は、光記録媒体２０に照射される。これによって、光記録媒体２０中に記録された反射型ホログラムから、信号光Ｓのフーリエ変換像が再生される。
【００３６】
透過型ホログラムおよび反射型ホログラムに記録された情報は、共に１種類の情報（信号光Ｓ）であるから、光検出器２４でも１種類の情報（信号光Ｓ）が検出される。検出されたアナログデータは光検出器２４によってＡ／Ｄ変換され、再生画像の画像データがパーソナルコンピュータ３０に入力され、ＲＡＭ（図示せず）に保持される。光検出器２４の各画素で検出された輝度値（画像データ）は、空間光変調器１４の各画素と対応付けられて、パーソナルコンピュータ３０に入力される。
【００３７】
以上説明した通り、本実施の形態では、光記録媒体にフーリエ変換された信号光と参照光とを同じ側から同軸で照射することで、信号光のフーリエ変換面近傍に透過型ホログラムを記録することができる。また、光記録媒体を透過した参照光を変調して別の参照光を生成し、この参照光をフーリエ変換して光記録媒体に照射することで、信号光のデフォーカス位置に、更に反射型ホログラムを記録することができる。
【００３８】
このように、１つの光記録媒体の異なる位置に透過型ホログラムと反射型ホログラムとを記録することができるので、光記録材料の光軸方向（厚さ方向）全体にホログラムを記録することができる。この結果、光記録媒体の厚膜化とフーリエ変換レンズの短焦点化とを両立することができ、高密度記録を実現することができる。
【００３９】
また、光記録媒体を透過した参照光を変調して別の参照光を生成するので、光量損失が少ない。
【００４０】
（第２の実施の形態）
図５は、第２の実施の形態に係るホログラム記録再生装置の概略構成を示す図である。平面ミラー２６に代えて凸面ミラー２８を設け、フーリエ変換レンズ２２を透過した参照光Ｒ１の０次成分を、球面波である参照光Ｒ２に変換し、フーリエ変換レンズ２２を透過した参照光Ｒ２が光記録媒体２０の入射側端面２０ａに集光するように配置した以外は、第１の実施の形態に係るホログラム記録再生装置と同じ構成であるため、同一構成部分には同じ符号を付して説明を省略する。
【００４１】
第１の実施の形態では、反射型ホログラムを記録する参照光Ｒ２としては、主に、参照光Ｒ２の０次成分が利用される。このため、参照光の０次成分の影響が大きく、シフト多重記録における回折光強度のシフト量に対する選択性（シフト選択性）が制限される。
【００４２】
一方、本実施の形態では、凸面ミラー２８を用いることで、凸面ミラー２８で反射された参照光Ｒ２の波面が、光記録媒体２０の入射側端面２０ａに集光し、その近傍での回折パターンが複雑になる。そのため、参照光Ｒ２と信号光Ｓとで記録する反射型ホログラムのシフト選択性が向上する。つまり、フーリエ変換レンズ２２を参照光Ｒ２が光記録媒体２０の入射側端面２０ａに集光するように配置することで、参照光Ｒ２の回折パターンと、フーリエ変換された信号光Ｓのフレネル回折パターンとが、入射側端面２０ａの近傍で重なり合い、入射側端面２０ａに反射型ホログラムが記録される。参照光波面は参照光の焦点に近い領域ほど複雑になるので、より複雑な波面の参照光でホログラムを記録することができる。そのため、第１の実施の形態に比べて、シフト選択性を向上させることができる。
【００４３】
以上の通り、本実施の形態では、このように反射型ホログラムを記録する領域での参照光Ｒ２の波面を複雑化することで、参照光の０次成分の影響を低減することができ、シフト選択性を向上させることができる。
【００４４】
（第３の実施の形態）
図６は、第３の実施の形態に係るホログラム記録再生装置の概略構成を示す図である。空間光変調器１４とフーリエ変換レンズ１８との間に、ガラス板１６、レンズ３４、直流成分を除去するためのフィルタ３６、及びレンズ３８をこの順に配置すると共に、光記録媒体２０の厚さ方向の中心をフーリエ変換レンズ１８のフーリエ変換面に配置した以外は、第１の実施の形態に係るホログラム記録再生装置と同じ構成であるため、同一構成部分には同じ符号を付して説明を省略する。なお、光記録媒体２０の厚さ方向の中心を含み光軸に直交する面４０を、以下では、「中心面」という。
【００４５】
光記録媒体２０の中心面４０をフーリエ変換レンズ１８のフーリエ変換面に配置するのは、複雑な波面を有する参照光Ｒ１及びＲ２と信号光Ｓとを干渉させるためである。フーリエ変換面近傍の参照光Ｒ１及びＲ２の波面（回折光）は複雑であり、その複雑な波面と信号光Ｓとでホログラムを記録することで、シフト選択性を向上できる。
【００４６】
フィルタ３６としては、例えば、図７に示すように、フーリエ変換像の０次成分を遮断する遮光部４２と０次以外の成分を透過する開口部４４とが設けられた遮光板など、フーリエ変換像の０次成分だけを遮断するフィルタを使用することができる。
【００４７】
この装置では、ホログラムの記録時に、光源１０から発振されたレーザ光は、ビームエキスパンダ１２により大径のビームにコリメートされて、空間光変調器１４に照射される。空間光変調器１４では、表示されたパターンに応じてレーザ光が偏光変調され、信号光と参照光とが生成される。空間光変調器１４で振幅変調された信号光Ｓ及び参照光Ｒ１は、レンズ３４によりフーリエ変換される。その前に、参照光のみは、ガラス板１６を透過することで、光路長が大きくなる。
【００４８】
フーリエ変換された信号光及び参照光は、フィルタ３６に照射され、信号光及び参照光のフーリエ変換像から直流成分が除去される。フィルタ３６で遮断されなかった信号光及び参照光は、レンズ３８で逆フーリエ変換され、レンズ１８により再びフーリエ変換されて、光記録媒体２０に同時に且つ同軸で照射される。これによって、光記録媒体２０中で信号光と参照光とが干渉して、干渉パターンがホログラムとして記録される。フィルタ３６によりフーリエ変換像から直流成分を除去することで、０次成分による無駄な露光を抑制し、ダイナミックレンジの浪費を防止することができる。
【００４９】
本実施の形態では、フーリエ変換レンズ１８は、信号光Ｓ及び参照光Ｒ１が光記録媒体２０の中心面４０に集光するように配置されている。フーリエ変換された信号光Ｓと参照光Ｒ１とは中心面４０（フーリエ変換面）の近傍で重なり合い、中心面４０の近傍に透過型ホログラムが記録される。
【００５０】
光記録媒体２０を透過した参照光Ｒ１は、レンズ２２で逆フーリエ変換され、平面ミラー２６に照射されて、光記録媒体２０の方向に参照光Ｒ２として反射される。反射された参照光Ｒ２は、レンズ２２によりフーリエ変換される。フーリエ変換された参照光Ｒ２と信号光Ｓとは、互いに異なる側から光記録媒体２０に照射される。これによって、光記録媒体２０中で信号光Ｓと参照光Ｒ２とが干渉して、干渉パターンがホログラムとして記録される。このホログラムは反射型ホログラムである。
【００５１】
本実施の形態では、参照光Ｒ１及びＲ２は中心面４０（フーリエ変換面）に集光されるため、中心面近傍の参照光Ｒ１及びＲ２の波面は複雑な形状となる。したがって、参照光Ｒ１と信号光Ｓとで記録される透過型ホログラムと参照光Ｒ２と信号光Ｓとで記録される反射型ホログラムの双方のシフト選択性を向上させることができる。その結果、ホログラム全体のシフト選択性を向上させることができる。
【００５２】
以上の通り、本実施の形態では、信号光Ｓと参照光Ｒ１とが光記録媒体の中心面に焦点を結ぶようにフーリエ変換レンズを配置するので、デフォーカス距離が短くなる。また、フィルタによりフーリエ変換像から直流成分を除去することで、０次成分による無駄な露光を抑制し、ダイナミックレンジの浪費を防止することができる。
【図面の簡単な説明】
【００５３】
【図１】第１の実施の形態に係るホログラム記録再生装置の概略構成を示す図である。
【図２】記録再生処理の処理ルーチンを示すフローチャートである。
【図３】空間光変調器の表示画像を示す図である。
【図４】再生画像を取得する場合の空間光変調器の表示画像を示す図である。
【図５】第２の実施の形態に係るホログラム記録再生装置の概略構成を示す図である。
【図６】第３の実施の形態に係るホログラム記録再生装置の概略構成を示す図である。
【図７】直流成分を除去するためのフィルタの平面図である
【符号の説明】
【００５４】
１０   光源
１２   ビームエキスパンダ
１４   空間光変調器
１６ａ 開口部
１６   ガラス板
１８   フーリエ変換レンズ
２０   光記録媒体
２０ａ 入射側端面
２０ｂ 出射側端面
２２   フーリエ変換レンズ
２４   光検出器
２６   平面ミラー
２８   凸面ミラー
３０   パーソナルコンピュータ
３２   パターン発生器
３４   レンズ
３６   フィルタ
３８   レンズ
４０   中心面
４２   遮光部
４４   開口部
【図１】
2007178458.tif 000003
【図２】
2007178458.tif 000004
【図３】
2007178458.tif 000005
【図４】
2007178458.tif 000006
【図５】
2007178458.tif 000007
【図６】
2007178458.tif 000008
【図７】
2007178458.tif 000009